(57)【特許請求の範囲】
【請求項１】
アレルゲンを不活化する化合物として、不飽和結合を持つポリマー分散物と共存しておらず、架橋反応によって非水溶性へと変化していない水溶性ジルコニウム塩を含有することを特徴する抗アレルゲン建築材料。
【請求項２】
アレルゲンを不活化する化合物が塩基性塩化ジルコニル、オキシ塩化ジルコニウム、四塩化ジルコニウム、臭化ジルコニウム、硫酸ジルコニウム、塩基性硫酸ジルコニウム、酢酸ジルコニル、ギ酸ジルコニル、硫酸ジルコニウムナトリウム、酢酸ジルコニウムアンモニウム、シュウ酸ジルコニウムナトリウム及びクエン酸ジルコニウムアンモニウムから選択される少なくとも一種類であることを特徴とする請求項１記載の抗アレルゲン建築材料。
【請求項３】
抗アレルゲン建築材料が、木材素材、木質材料、木材素材または木質材料を使用した製品、及び壁材のうちのいずれかであることを特徴とする請求項１または請求項２記載の抗アレルゲン建築材料。
【発明の詳細な説明】
【０００１】
【発明の属する技術分野】
本発明は、環境中のアレルゲンを不活化するための抗アレルゲン建築材料に関するものである。
【０００２】
【従来の技術及び発明が解決しようとする課題】
喘息やアトピー性皮膚炎などのアレルギー性疾患は、長年にわたり、多くの人が悩まされてきたものである。これらのアレルギー性疾患の原因として、屋内に棲息するダニやペットの毛、花粉が代表的なものとして、良く知られている。現在、アレルギー患者の治療には主に薬物療法が適用されているが、一方では、アレルギーを引き起こす因子であるアレルゲンを患者自身の生活環境から除去することも直接、アレルゲンへの暴露から患者を守るという合理的な手段である。このようなアレルゲン除去による症状改善は、日本の他、ヨーロッパやアメリカにおいても報告がなされている。
【０００３】
アレルゲン除去の方法としては、電気掃除機による吸引、空気清浄機による除去や寝具の高密度カバーの使用などがあげられる。しかしながら、電気掃除機による吸引だけでは除去できるアレルゲン量に限界があり、空気清浄機では空中に舞うアレルゲンのみの除去になる。また、寝具の高密度カバーでは内側からのアレルゲン除去にはなるが外側からのアレルゲン除去にはならないなど、これらの方法は必ずしも満足できるものではなかった。
【０００４】
さらに、アレルゲンを化学的に不活化する方法としては、タンニン酸の処理（特公平２−１６７３１）が知られている。しかしながら、本方法では、何らかの着色が認められるという問題があった。
【０００５】
また、屋内塵中のダニ駆除には、一般的に殺ダニ剤が用いられるが、ハウスダスト中のコナヒョウヒダニ  Dermatophagoides farinae  Hughes  や ヤケヒョウヒダニ  Dermatophagoides pteronyssinus (Trouessart)  等は、死んだ後もアレルゲン性を残し、虫体が分解するに従い、徐々に微粒子のアレルゲンを放出するため、ダニを殺しただけではアレルゲンを不活化したことにはならないのである。
【０００６】
【課題を解決するための手段】
本発明者は、このような課題を解決するため、鋭意研究の結果、アレルゲンに反応し、アレルゲンを不活化する化合物（以下、不活化剤）、とくにジルコニウム塩を処理した建築材料を用いることにより、環境中のアレルゲンを不活化できることを見いだし、本発明に至った。
【０００７】
【発明の実施の形態】
本発明の抗アレルゲン建築材料の処理方法は、不活化剤を、浸漬法、吹きつけ法、塗布法などの表面処理方法及び、加圧、減圧などによる注入処理方法、原材料に混合する方法など、いずれの方法でも処理可能である。不活化剤の処理量は、表面処理方法の場合、０．１〜１００ｇ／m2、好ましくは、１〜５０ｇ／m2を処理する。また、注入処理方法の場合、１００ｇ〜５０００ｇ／m3、好ましくは、２００〜２０００ｇ／m3である。本発明に用いる不活化剤は特に限定されることはないが、例えばジルコニウム塩をあげることができる。ジルコニウム塩としては、塩基性塩化ジルコニル、オキシ塩化ジルコニウム、四塩化ジルコニウム、臭化ジルコニウム等のハロゲン化ジルコニウム、硫酸ジルコニウム、塩基性硫酸ジルコニウム等の鉱酸のジルコニウム塩、酢酸ジルコニル、ギ酸ジルコニル等の有機酸のジルコニウム塩、硫酸ジルコニウムナトリウム、酢酸ジルコニウムアンモニウム、シュウ酸ジルコニウムナトリウム、クエン酸ジルコニウムアンモニウム等のジルコニウム錯塩が挙げられ、水溶性のものが扱いやすく、特に、塩基性塩化ジルコニルが好ましい。またその他、酸化亜鉛などの亜鉛塩や酸化アルミニウムなどのアルミニウム塩、クエン酸・マロン酸・リンゴ酸・酒石酸・乳酸などの有機酸も、不活化剤として、好ましいものである。
【０００８】
本発明の抗アレルゲン建築材料としては、木材の素材や、合板、パーティクルボード、ファイバーボード、集成材等の木質材料、また、それらを使用した、柱材、床材、ドア材、壁材、窓枠材、天井材等の製品、さらに、壁紙、漆喰、断熱材などの壁材があげられ、不活化剤を処理したこれらの抗アレルゲン建築材料を用いることにより、環境中のアレルゲンを不活化することができる。
【０００９】
本発明の抗アレルゲン建築材料を用いることにより、多様なアレルゲンを実質的に減少させることが出来る。特に、本発明は、環境中のアレルゲンが屋内塵のダニアレルゲンや植物アレルゲンの場合に効果的に不活化できるものであり、ハウスダスト中のダニアレルゲン及び植物アレルゲン（例えば、スギ花粉等）を不活化することができる。
【００１０】
【実施例】
本発明を製造例、実施例により、更に詳しく説明するが、本発明がこれらによって限定されるものではない。
【００１１】
【製造例１】
抗アレルゲン床材
パーティクルボード製の床材に、ニューテックス株式会社製のジルコゾールＺＣ−２（塩基性塩化ジルコニルとして４６重量％含有、酸化ジルコニウムとして３５重量％含有、比重（２５℃）１．６５）の２０重量％水溶液を塗布あるいは散布にて５０ｇ／ｍ２処理することにより、容易に抗アレルゲン床材を製造することができる。
【００１２】
【実施例１】
ジルコニウム塩を処理した床材のダニアレルゲンに対する不活化効果の確認
製造例１の方法により、製造した抗アレルゲン床材（製造例試料）及び無処理の床材（比較例試料）の各１ｍ２に、ダニアレルゲンをおよそ1,300μｇ／ｇ含む標準ハウスダスト０．３ｇずつ、できるだけまんべんなくまき、３時間程度放置した。その後、パイプの連結部分にダストサンプラー、ダストフィルター、マイティフェルト（すべて、シントーファイン社製）を装着した電気掃除機で１分間掃除機をかけ、床材上の標準ハウスダストを収集した。マイティフェルト及びリン酸緩衝液（pH７．０，牛血清アルブミン１５重量％含有）１０mlをチャック付きポリ袋に入れて、よく揉んでダニアレルゲンを抽出し、抽出液を遠心分離器にかけた（１２，０００rpm×６０min）後、上澄み液の酵素免疫測定法（ＥＬＩＳＡ法）によりダニアレルゲン量を測定した。抗アレルゲン建材による不活化率を式１で表し、結果を表１に示した。
【式１】
不活化率（％）＝｛１−（ダニアレルゲン量製造例試料／ダニアレルゲン量比較例試料）｝×１００
【表１】
0004484295.tif 000002
【００１３】
【発明の効果】
本発明の抗アレルゲン建築材料を用いることにより、アレルゲンを不活化することができた。